(57)【要約】【課題】ＳＩＭカードを或る装置から取り外すことなく、該装置とは別の装置で、携帯電話サービスを不都合無く利用する。【解決手段】子機１３は、ＳＩＭカードの代替物であって、ＳＩＭカードが設けられた親機１２と近距離無線通信を行う近距離通信部３３と、ＳＩＭカードに記録されたＳＩＭ情報を記憶する記憶部３１と、携帯電話サービスを利用するための移動体端末と通信を行う接続部３４と、移動体端末から接続部３４を介しての要求に応じて、記憶部３１に記憶されたＳＩＭ情報を、接続部３４を介して移動体端末に出力するＳＩＭ情報出力部６１と、近距離通信部３３が親機１２と通信不能である場合、ＳＩＭ情報出力部６１がＳＩＭ情報を出力することを禁止する出力制御部６３とを備えている。【選択図】図１
2010050848.tif 000002
【特許請求の範囲】
【請求項１】
或るサービスの加入者に提供され、該サービスを利用するために必要な情報である利用必須情報が記録された加入者カードの代替物であって、
前記加入者カードが設けられた外部装置と無線通信を行う第１通信部と、
前記利用必須情報を記憶する記憶部と、
前記サービスを利用するためのサービス利用装置と通信を行う第２通信部と、
前記サービス利用装置から第２通信部を介しての要求に応じて、前記記憶部に記憶された前記利用必須情報を、第２通信部を介して前記サービス利用装置に出力する出力手段と、
第１通信部が前記外部装置と通信不能である場合、前記出力手段が前記利用必須情報を出力することを禁止する出力制御手段とを備えることを特徴とする加入者カードの代替物。
【請求項２】
前記サービス利用装置が前記サービスの利用を終了したことを示す利用終了情報を前記サービス利用装置から第２通信部を介して取得する利用終了取得手段と、
前記出力手段が前記利用必須情報を出力してから、前記利用終了取得手段が前記利用終了情報を取得するまでの間、前記外部装置と通信を行うように第１通信部を制御する通信制御手段とをさらに備えることを特徴とする請求項１に記載の加入者カードの代替物。
【請求項３】
前記加入者カードと同一形状であることを特徴とする請求項１に記載の加入者カードの代替物。
【請求項４】
或るサービスを利用するためのサービス利用装置であって、請求項１から３までの何れか１項に構成の加入者カードの代替物が取り付けられたサービス利用装置
【請求項５】
前記サービスを利用するのに必要な処理である利用必須処理を実行するサービス利用処理手段を備えており、
該サービス利用処理手段は、上記利用必須処理の一部を実行することを特徴とする請求項４に記載のサービス利用装置。
【請求項６】
或るサービスの加入者に提供され、該サービスを利用するために必要な情報である利用必須情報が記録された加入者カードが着脱可能に設けられた通信装置であって、
前記加入者カードが着脱可能に取り付けられる取付部と、
前記加入者カードの代替物と無線通信を行う通信部と、
前記取付部に前記加入者カードが取り付けられているかを判定する判定手段と、
前記取付部に前記加入者カードが取り付けられていると前記判定手段が判定する場合、前記代替物との無線通信を許可するように前記通信部を制御する通信制御手段とを備えることを特徴とする通信装置。
【請求項７】
前記通信部は、同時に１つの前記代替物のみと無線通信可能であることを特徴とする請求項６に記載の通信装置。
【請求項８】
前記サービスを利用するのに必要な処理である利用必須処理を実行するサービス利用処理手段と、
前記サービス利用処理手段からの要求に応じて、前記加入者カードに記憶された前記利用必須情報を前記サービス利用処理手段に送出する送出手段とをさらに備えており、
前記サービス利用処理手段は、上記利用必須処理の一部を実行することを特徴とする請求項６に記載の通信装置。
【請求項９】
或るサービスの加入者に提供され、該サービスを利用するために必要な情報である利用必須情報が記録された加入者カードが着脱可能に設けられた親機と、該親機との無線通信が可能であり、前記加入者カードの代替物として機能する１または複数の子機とを備える通信システムであって、
前記子機は、請求項１から３までの何れか１項に記載の加入者カードの代替物であり、
前記親機は、請求項６から８までの何れか１項に記載の通信装置であることを特徴とする通信システム。
【請求項１０】
前記サービスは、移動体通信サービスであることを特徴とする請求項９に記載の通信システム。
【請求項１１】
請求項１から３までの何れか１項に記載の加入者カードの代替物を動作させるための代替物制御プログラムであって、コンピュータを上記の各手段として機能させるための代替物制御プログラム。
【請求項１２】
請求項６から８までの何れか１項に記載の通信装置を動作させるための通信装置制御プログラムであって、コンピュータを上記の各手段として機能させるための通信装置制御プログラム。
【請求項１３】
請求項１１に記載の代替物制御プログラム、および、請求項１２に記載の通信装置制御プログラムの少なくとも１つが記録されたコンピュータ読取り可能な記録媒体。
【請求項１４】
或るサービスの加入者に提供され、該サービスを利用するために必要な情報である利用必須情報が記録された加入者カードの代替物の制御方法であって、
前記加入者カードが設けられた外部装置と無線通信を行う第１通信部が前記外部装置と通信不能である場合、前記サービスを利用するためのサービス利用装置から、該サービス利用装置と通信を行う第２通信部を介しての要求に応じて、記憶部に予め記憶された前記利用必須情報を、第２通信部を介して前記サービス利用装置に出力することを禁止する出力制御ステップを含むことを特徴とする加入者カードの代替物の制御方法。
【請求項１５】
或るサービスの加入者に提供され、該サービスを利用するために必要な情報である利用必須情報が記録された加入者カードが着脱可能に設けられた通信装置の制御方法であって、
前記加入者カードが着脱可能に取り付けられる取付部に、前記加入者カードが取り付けられているかを判定する判定ステップと、
該判定ステップによって、前記取付部に前記加入者カードが取り付けられていると判定された場合、前記加入者カードの代替物と無線通信を行う通信部を、前記代替物との無線通信を許可するように制御する通信制御ステップとを含むことを特徴とする通信装置の制御方法。
【発明の詳細な説明】
【技術分野】
【０００１】
本発明は、或るサービスの加入者に提供され、該サービスを利用するために必要な情報である利用必須情報が記録された加入者カードに係る、代替物およびその制御方法、通信装置およびその制御方法、サービス利用装置、通信システム、代替物制御プログラム、通信装置制御プログラム、並びに該プログラムを記録した記録媒体に関するものである。具体的には、本発明は、携帯電話サービスの加入者に提供されるＳＩＭ（Subscriber Identity Module）カードに関するものである。
【背景技術】
【０００２】
携帯電話サービスを利用するための携帯電話端末の普及が急速に進んでいる。一般に、携帯電話端末に代表される移動体通信機器では、一部例外はあるものの、ＳＩＭカードと呼ばれるＩＣカードが使用される。上記ＳＩＭカードには電話番号などの契約者に固有の情報が記録されており、上記ＳＩＭカードを携帯電話端末に装着することにより、携帯電話端末の発着信が可能となる。さらに、一部の携帯電話端末では、例えばＴＶ（Television）視聴機能、音楽再生機能など、当該端末に特有の付加機能が使用可能となる。
【０００３】
また、上記ＳＩＭカードは、通信規格などが同一である任意の携帯電話端末に対して装着が可能であるので、ユーザは、状況に応じて、上記ＳＩＭカードを装着する携帯電話端末を変更して使用することができる。
【０００４】
しかしながら、上記ＳＩＭカードは、１回線の契約で１枚のみ発行されるものである。このため、携帯電話端末の買い替え、譲渡などにより複数台の携帯電話端末を有しているユーザであっても、通信に使用できる携帯電話端末はＳＩＭカードを装着した１台のみである。
【０００５】
元来、ＳＩＭカードは、頻繁に挿抜することを想定したものでは無い。このため、ＳＩＭカードは、挿抜を頻繁に繰り返すと破損する虞がある。また、ＳＩＭカードは、携帯電話端末に搭載するためにサイズが小さい。このため、ＳＩＭカードは、挿抜時に紛失する虞がある。
【０００６】
また、ＳＩＭカードは、挿抜する前に携帯電話端末の電源をオフにする必要がある。このため、大部分の携帯電話端末では、電池を取り外さないとＳＩＭカードを挿抜できないような構造となっており、ＳＩＭカードの挿抜が手間のかかる作業となっている。
【特許文献１】特開２００７−１１６２１２号公報（２００７年５月１０日公開）
【発明の開示】
【発明が解決しようとする課題】
【０００７】
上記の問題点に対し、１人の加入者に複数のＳＩＭカードを提供することが考えられる。しかしながら、上記複数のＳＩＭカードを複数の携帯電話端末にそれぞれ装着すると、同じ電話番号を有する複数の携帯電話端末が存在することになり、携帯電話サービスの利用に不都合が生じる。
【０００８】
また、特許文献１に記載の通信端末装置は、加入者情報カードが挿入されているときに、公衆回線網を通じて通信できるものである。２台の上記通信端末装置のうち、加入者情報カードが挿入されている通信端末装置が親機として機能し、加入者情報カードが挿入されていない通信端末装置が子機として機能する。親機および子機は、上記公衆回線網を介さずに直接通信し、子機は、親機および上記公衆回線網を介して外部と通信する。これにより、加入者情報カードが挿入されていない通信端末装置でも、公衆回線網を通じて外部と通信することができる。
【０００９】
しかしながら、上記子機が上記外部と通信する場合、上記親機は、上記子機との直接通信と、上記公衆回線網を介する外部との通信とを継続する必要があり、電池の消耗が増大することになり、通話時間および待受時間が短くなる結果となる。
【００１０】
本発明は、上記の問題点に鑑みてなされたものであり、その目的は、ＳＩＭカード等の加入者カードを或る装置から取り外すことなく、該装置とは別の装置で、携帯電話サービス等のサービスを不都合無く利用できる加入者カードの代替物などを提供することにある。
【課題を解決するための手段】
【００１１】
上記課題を解決するために、本発明に係る加入者カードの代替物は、或るサービスの加入者に提供され、該サービスを利用するために必要な情報である利用必須情報が記録された加入者カードの代替物であって、前記加入者カードが設けられた外部装置と無線通信を行う第１通信部と、前記利用必須情報を記憶する記憶部と、前記サービスを利用するためのサービス利用装置と通信を行う第２通信部と、前記サービス利用装置から第２通信部を介しての要求に応じて、前記記憶部に記憶された前記利用必須情報を、第２通信部を介して前記サービス利用装置に出力する出力手段と、第１通信部が前記外部装置と通信不能である場合、前記出力手段が前記利用必須情報を出力することを禁止する出力制御手段とを備えることを特徴としている。
【００１２】
また、上記課題を解決するため、本発明に係る加入者カードの代替物の制御方法は、上述の加入者カードの代替物の制御方法であって、前記加入者カードが設けられた外部装置と無線通信を行う第１通信部が前記外部装置と通信不能である場合、前記サービスを利用するためのサービス利用装置から、該サービス利用装置と通信を行う第２通信部を介しての要求に応じて、記憶部に予め記憶された前記利用必須情報を、第２通信部を介して前記サービス利用装置に出力することを禁止する出力制御ステップを含むことを特徴としている。
【００１３】
ここで、利用必須情報の例としては、加入者カードを識別する識別情報、加入者を識別する識別情報などが挙げられる。
【００１４】
上記の構成および方法によると、加入者カードが設けられた外部装置との無線通信が不能である場合、サービス利用装置に利用必須情報を出力することが禁止されるので、サービス利用装置がサービスを利用することが禁止される。従って、上記外部装置が上記代替物の１つと通信することにより、該代替物と通信するサービス利用装置のみにサービスを利用させることができる。すなわち、上記加入者カードを上記外部装置から取り外すことなく、上記外部装置とは別の装置である上記サービス利用装置で、上記サービスを不都合無く利用することができる。
【００１５】
なお、上記加入者カードの代替物は、上記加入者カードと同一形状であることが好ましいが、その他の形状であってもよいし、カードでなくてもよい。また、上記加入者カードの代替物は、上記加入者カードの近くで利用されることが好ましいので、第１通信部が上記外部装置と行う無線通信は、近距離無線通信であることが好ましい。また、上記記憶部に記憶される利用必須情報は、外部装置その他の装置から通信で予め取得してもよいし、着脱可能な記録媒体から予め取得してもよいし、ユーザが操作部を操作することにより予め取得してもよい。
【００１６】
また、上記加入者カードの代替物は、上記サービス利用装置と一体となって利用されることが好ましい。このため、第２通信部とサービス利用装置との通信は、電気的に接続した各接続端子を介して行ったり、短距離無線通信で行ったりすることが好ましい。
【００１７】
本発明に係る加入者カードの代替物では、前記サービス利用装置が前記サービスの利用を終了したことを示す利用終了情報を前記サービス利用装置から第２通信部を介して取得する利用終了取得手段と、前記出力手段が前記利用必須情報を出力してから、前記利用終了取得手段が前記利用終了情報を取得するまでの間、前記外部装置と通信を行うように第１通信部を制御する通信制御手段とをさらに備えることが好ましい。
【００１８】
この場合、上記代替物と通信する上記サービス利用装置が上記サービスを利用している間、他の上記代替物は上記外部装置と通信できないので、上記他の代替物と通信する上記サービス利用装置は上記サービスが利用することができない。従って、１つの加入者カードで複数のサービス利用装置が上記サービスを同時に利用することを確実に防止できる。なお、第１通信部と上記外部装置との通信は、常時行ってもよいし、間欠的に行ってもよい。
【００１９】
一般に、上記サービス利用装置は、上記加入者カードと共に利用されるので、上記加入者カードを着脱可能に取り付けられる取付部を備えている。このことから、上記加入者カードの代替物は、上記加入者カードと同一形状であることが好ましい。この場合、上記加入者カードの代替物を上記取付部に取り付けることができるので、新たな取付部が不要となる。
【００２０】
なお、上記構成の加入者カードの代替物が取り付けられたサービス利用装置であれば、上述と同様の効果を奏することができる。なお、上記加入者カードの代替物は、上記サービス利用装置に対し、固定されてもよいし、着脱可能に取り付けられてもよい。
【００２１】
ところで、サービス利用装置によっては、上記サービスの一部のみを利用するものが存在する。例えば、携帯電話サービスを利用する携帯型通信端末の中には、データ通信機能を有するが、通話機能を有さない携帯型データ端末や、通話機能を有するがデータ通信機能を有さない携帯電話端末が存在する。
【００２２】
そこで、本発明に係るサービス利用装置では、前記サービスを利用するのに必要な処理である利用必須処理を実行するサービス利用処理手段を備えており、該サービス利用処理手段は、上記利用必須処理の一部を実行してもよい。この場合、上記サービス利用装置は、上記利用必須処理の一部のみを実行する機能を有すればよいので、装置規模を抑えることができる。
【００２３】
ところで、上記利用必須処理の中には、ユーザに関係なく装置内で行われる処理である装置内処理もあれば、ユーザに対し入出力を行うための処理であるユーザ関連処理もある。例えば、携帯電話サービスであれば、待ち受け中に携帯電話端末と基地局との間で送受信される位置情報に関する処理は、上記装置内処理に該当し、着信処理および通話処理は、上記ユーザ関連処理に該当する。また、上記サービス利用装置は、ユーザが利用するものであることが多い。
【００２４】
そこで、上記サービス利用装置が上記ユーザ関連処理を実行する一方、上記外部装置の側が上記装置内処理を実行することが好ましい。この場合、上記利用必須処理を複数の装置に分散させることができるので、各装置の処理負担を軽減することができる。
【００２５】
本発明に係る通信装置は、或るサービスの加入者に提供され、該サービスを利用するために必要な情報である利用必須情報が記録された加入者カードが着脱可能に設けられた通信装置であって、上記課題を解決するために、前記加入者カードが着脱可能に取り付けられる取付部と、前記加入者カードの代替物と無線通信を行う通信部と、前記取付部に前記加入者カードが取り付けられているかを判定する判定手段と、前記取付部に前記加入者カードが取り付けられていると前記判定手段が判定する場合、前記代替物との無線通信を許可するように前記通信部を制御する通信制御手段とを備えることを特徴としている。
【００２６】
また、本発明に係る通信装置の制御方法は、上記加入者カードが着脱可能に設けられた通信装置の制御方法であって、上記課題を解決するために、前記加入者カードが着脱可能に取り付けられる取付部に、前記加入者カードが取り付けられているかを判定する判定ステップと、該判定ステップによって、前記取付部に前記加入者カードが取り付けられていると判定された場合、前記加入者カードの代替物と無線通信を行う通信部を、前記代替物との無線通信を許可するように制御する通信制御ステップとを含むことを特徴としている。
【００２７】
上記の構成および方法によると、取付部に加入者カードが取り付けられると、該加入者カードの代替物と通信部との無線通信が許可される。反対に言えば、上記加入者カードが上記取付部に取り付けられていない場合、上記無線通信が許可されない。従って、上記加入者カードの代替物と無線通信を行って、該代替物を上記加入者カードとして機能させることを、上記加入者カードとは無関係に行うことを防止できる。
【００２８】
なお、上記加入者カードの代替物は、上記加入者カードの近くで利用されることが好ましいので、通信部が上記代替物と行う無線通信は、近距離無線通信であることが好ましい。
【００２９】
本発明に係る通信装置では、前記通信部は、同時に１つの前記代替物のみと無線通信可能であることが好ましい。この場合、上記通信装置と通信する唯一の上記代替物を上記加入者カードとして機能させることができるので、複数の上記代替物が上記加入者カードとして機能して、上記複数の代替物がそれぞれ関連する複数のサービス利用装置が上記サービスを同時に利用することを防止できる。
【００３０】
なお、上記通信部は、同時に１つの外部装置のみと無線通信可能な無線通信デバイスを１台のみ備えていれば、上記の場合を実現することができる。或いは、上記通信部は、上記無線通信デバイスを複数台有しており、その中の１台のみを動作させるように制御すれば、上記の場合を実現することができる。
【００３１】
本発明に係る通信装置では、前記サービスを利用するのに必要な処理である利用必須処理を実行するサービス利用処理手段と、前記サービス利用処理手段からの要求に応じて、前記加入者カードに記憶された前記利用必須情報を前記サービス利用処理手段に送出する送出手段とをさらに備えており、前記サービス利用処理手段は、上記利用必須処理の一部を実行してもよい。
【００３２】
この場合、上述のように、上記通信装置が上記装置内処理を実行する一方、上記加入者カードの代替物と関連するサービス利用装置が上記ユーザ関連処理を実行することにより、上記利用必須処理を複数の装置に分散させることができ、各装置の処理負担を軽減することができる。
【００３３】
なお、上記構成の通信装置である親機と、上記構成の加入者カードの代替物である子機とを備える通信システムであれば、上述と同様の効果を奏することができる。また、上記サービスの例としては、携帯電話サービスなどの移動体通信サービス、銀行のオンラインシステム、流通業界のＰＯＳ（販売時点情報管理）システム、鉄道会社や航空会社のチケット予約システムなどが挙げられる。
【００３４】
なお、上記加入者カードの代替物の各手段を、代替物制御プログラムによりコンピュータ上で実行させることができる。また、上記通信装置の各手段を、通信装置制御プログラムによりコンピュータ上で実行させることができる。さらに、上記代替物制御プログラムおよび上記通信装置制御プログラムの少なくとも１つをコンピュータ読取り可能な記録媒体に記憶させることにより、任意のコンピュータ上で当該制御プログラムを実行させることができる。
【発明の効果】
【００３５】
以上のように、本発明に係る加入者カードの代替物では、加入者カードが設けられた外部装置と無線通信可能な代替物のみが、利用必須情報をサービス利用装置に出力してサービスが利用されるので、上記加入者カードを上記外部装置から取り外すことなく、上記外部装置とは別の上記サービス利用装置で上記サービスを不都合無く利用できるという効果を奏する。
【００３６】
また、本発明に係る通信装置は、加入者カードが取り付けられていないと、上記加入者カードの代替物との無線通信が許可されないので、該無線通信を行って、該代替物を上記加入者カードとして機能させることを、上記加入者カードとは無関係に行うことを防止できるという効果を奏する。
【発明を実施するための最良の形態】
【００３７】
本発明の一実施形態について図１〜図９を参照して説明する。本実施形態で利用されるサービスは、携帯電話サービスであり、携帯電話サービスの加入者に提供される加入者カードは、ＳＩＭカードである。図２および図３は、本実施形態の通信システムの概要を示している。図２に示すように、通信システム１０は、ＳＩＭカード（加入者カード）１１と、ＳＩＭカード１１が着脱可能に設けられた親機（外部装置・通信装置）１２と、親機１２との無線通信が可能であり、ＳＩＭカード１１の代替物として機能する子機１３とを備える構成である。
【００３８】
ＳＩＭカード１１は、ＩＣカードであり、携帯電話サービスを利用するのに必要な利用必須情報、その他の情報が記録されている。上記利用必須情報の例としては、ＳＩＭカードを識別するための識別番号（ＩＭＳＩ（International Mobile Subscriber Identity））、ユーザの識別番号（ＰＩＮコード）、位置情報、認証情報、パスワードなどが挙げられる。なお、以下では、ＳＩＭカード１１の利用必須情報を「ＳＩＭ情報」と称する。
【００３９】
親機１２は、ＳＩＭカード１１が装着されると、子機１３との無線通信が可能となるものである。本実施形態では、親機１２は、子機１３からの要求に応じて、ＳＩＭカード１１に記録されたＳＩＭ情報をＳＩＭカード１１から読み出して、子機１３に送信している。
【００４０】
子機１３は、上記携帯電話サービスを利用する移動体端末に取り付けられる。図３は、親機１２と無線通信可能な複数の子機１３が、複数の移動体端末（サービス利用装置）１４にそれぞれ取り付けられている状態を示している。
【００４１】
なお、図３の例では、子機１３および移動体端末１４は、それぞれ４個であるが、１個でもよいし、２個、３個、および５個以上でもよい。このように、子機１３をそれぞれ区別する場合には「第１子機１３ａ」、「第２子機１３ｂ」などと記載し、総称する場合には「子機１３」と記載する。また、移動体端末１４をそれぞれ区別する場合には「第１移動体端末１４ａ」、「第２移動体端末１４ｂ」などと記載し、総称する場合には「移動体端末１４」と記載する。図３には、移動体端末１４の例として、携帯電話機１４ａ、ＰＤＡ（Personal Digital Assistant）１４ｂ、カーナビゲーションシステム（Car Navigation System）における表示端末１４ｃ、および、携帯型データ通信端末１４ｄが示されている。
【００４２】
本実施形態では、子機１３は、親機１２に要求してＳＩＭ情報を受信して記憶する。そして、子機１３は、移動体端末１４の要求に応じて、ＳＩＭ情報を移動体端末１４に出力する。これにより、移動体端末１４は、ＳＩＭカード１１の挿抜を行うこと無く、上記携帯電話サービスを利用することができる。
【００４３】
さらに、本実施形態では、子機１３は、親機１２と通信不能である場合、ＳＩＭ情報を移動体端末１４に出力することを禁止している。これにより、親機１２と通信可能な子機１３のみが、ＳＩＭ情報を出力することができ、該子機１３が取り付けられた移動体端末１４のみが、上記携帯電話サービスを利用することができる。従って、複数の子機１３がそれぞれ取り付けられた複数の移動体端末１４が、上記携帯電話サービスを同時に利用することを防止できる。
【００４４】
なお、本実施形態では、子機１３は、ＳＩＭカード１１の代替物として機能するため、ＳＩＭカード１１と同一形状となっている。これにより、子機１３は、移動体端末１４に、ＳＩＭカード１１と同様に装着することができる。
【００４５】
また、親機１２が他のユーザの子機１３と混信したり、親機１２と子機１３との通信が第三者に傍受されたりすることを回避するため、親機１２と子機１３との無線通信は、近距離無線通信であることが望ましい。近距離無線通信の例としては、ブルートゥース（Bluetooth）（登録商標）、ジグビー（ZigBee）、ＵＷＢ（Ultra WideBand）、無線ＬＡＮ（ＩＥＥＥ８０２．１１）などが挙げられる。また、上記近距離無線通信のデータ伝送媒体の例としては、光、電波などが挙げられる。しかしながら、赤外線などの光を利用する場合、照射方向を送信先の受光部に合わせる必要がある。従って、データ伝送媒体としては電波が望ましい。
【００４６】
また、ユーザが移動体端末１４を操作し、移動体端末１４に取り付けられた子機１３が親機１２と近距離無線通信を行うことから、ユーザは親機１２を携帯することが望ましい。従って、親機１２は、ユーザが所持しやすい形状であることが望ましい。図２および図３の例では、親機１２は、移動体端末１４よりも小型であり、装身具の一つであるペンダントの形状であり、かつ、ネックストラップ１５を有している。この場合、ユーザは、親機１２をポケットに収容したり、首からぶら下げたりすることができる。
【００４７】
次に、親機１２、子機１３、および移動体端末１４の概要について、図１、図４、および図５を参照して説明する。図４は、親機１２の概略構成を示している。図示のように、親機１２は、制御部２０、記憶部２１、ソケット部（取付部）２２、近距離通信用アンテナ部２３、近距離通信部（通信部）２４、および電源部２５を備える構成である。
【００４８】
制御部２０は、親機１２内の各種構成を統括的に制御するものである。制御部２０の機能は、例えばＲＡＭ（Random Access Memory）やフラッシュメモリなどの記憶素子に記憶されたプログラムをＣＰＵ（Central Processing Unit）が実行することによって実現される。なお、制御部２０の詳細については後述する。
【００４９】
記憶部２１は、各種データおよびプログラムを記憶するものである。記憶部２１の例としては、制御部２０が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭと、各種の設定データなどを記憶する書換え可能な不揮発性メモリ（例えばフラッシュメモリ）とが挙げられる。
【００５０】
ソケット部２２は、ＳＩＭカード１１が挿抜可能に取り付けられるものである。ソケット部２２には、ＳＩＭカード１１と電気的に接続するための端子が設けられている。
【００５１】
近距離通信用アンテナ部２３は、近距離無線通信用の電波を外部に送り出すとともに外部から近距離無線通信用の電波を受け取るためのものである。例えば、近距離無線通信としてブルートゥース（登録商標）を利用する場合、近距離通信用アンテナ部２３は、２．４５ＧＨｚ帯の電波を送受することになる。
【００５２】
近距離通信部２４は、制御部２０から受信したデータを近距離無線送信に適した形式に変換し、変換した無線信号を、近距離通信用アンテナ部２３を介して外部に送信するとともに、外部から近距離通信用アンテナ部２３を介して受信した無線信号を元の形式に変換し、変換したデータを制御部２０に送信するものである。具体的には、近距離通信部２４では、データの変復調処理、ＲＦ処理などが行われる。
【００５３】
電源部２５は、親機１２内の各種構成に適当な電力を供給するものである。電源部２５は、例えば、リチウムイオン電池などの充電可能な２次電池、電源回路などによって構成される。
【００５４】
図１は、子機１３の概略構成を示している。図示のように、子機１３は、制御部３０、記憶部３１、近距離通信用アンテナ部３２、近距離通信部（第１通信部）３３、および接続部（第２通信部）３４を備える構成である。なお、制御部３０、記憶部３１、近距離通信用アンテナ部３２、および近距離通信部３３の機能は、それぞれ、制御部２０、記憶部２１、近距離通信用アンテナ部２３、近距離通信部２４の機能と同様であるので、その説明を省略する。また、ＳＩＭカード１１の構成は、子機１３の構成から、近距離通信用アンテナ部３２および近距離通信部３３を省略した構成と同様である。
【００５５】
接続部３４は、子機１３が移動体端末１４に取り付けられたときに、移動体端末１４と電気的に接続するためのものである。本実施形態では、子機１３はＳＩＭカード１１と同様に電源部を備えていないので、移動体端末１４から接続部３４を介して子機１３の各構成に電力が供給されている。
【００５６】
図５は、移動体端末１４の概略構成を示している。図示のように、移動体端末１４は、制御部４０、記憶部４１、携帯電話用アンテナ部４２、携帯電話用通信部４３、操作部４４、表示部４５、電源部４６、およびカード収容部４７を備える構成である。なお、制御部４０、記憶部４１、および電源部４６の機能は、それぞれ、制御部２０、記憶部２１、および電源部２５の機能と同様であるので、その説明を省略する。
【００５７】
携帯電話用アンテナ部４２は、携帯電話網の基地局に電波を送り出すとともに該基地局から電波を受け取るためのものである。具体的には、携帯電話用アンテナ部４２は、８００ＭＨｚ帯、１．５ＧＨｚ帯などの携帯電話用電波を送受するためのものである。
【００５８】
携帯電話用通信部４３は、制御部４０から受信したデータを、上記基地局への無線送信に適した形式に変換し、変換した無線信号を携帯電話用アンテナ部４２を介して外部に送信するものである。また、携帯電話用通信部４３は、外部から携帯電話用アンテナ部４２を介して受信した無線信号を元の形式に変換し、変換したデータを制御部４０に送信するものである。さらに、携帯電話用通信部４３は、他の電話機と通話するための回線接続処理および回線切断処理を行うものである。具体的には、携帯電話用通信部４３では、チャネルコーデック処理、ベースバンド信号処理、データの変復調処理、ＲＦ（Radio Frequency）処理などが行われる。
【００５９】
操作部４４は、移動体端末１４の表面に設けられた操作ボタンなどの入力デバイスをユーザが操作することにより、操作データを作成して制御部４０に送信するものである。入力デバイスの例としては、ボタンスイッチの他にタッチパネルなどが挙げられる。
【００６０】
表示部４５は、制御部４０から画像データを受信し、受信した画像データに基づいて表示画面に画像を表示するものである。具体的には、表示部４５は、ＬＣＤ（Liquid Crystal Display）、ＰＤＰ（Plasma Display Panel）、ＥＬ（Electroluminescence）ディスプレイなどの表示素子と、受信した画像データに基づいて表示素子を駆動するドライバ回路とを備える構成である。
【００６１】
カード収容部４７は、子機１３またはＳＩＭカード１１を挿抜可能に収容するものである。カード収容部４７には、子機１３またはＳＩＭカード１１と電気的に接続するための端子が設けられている。なお、該端子の一部は、電源部４６からの電力を子機１３またはＳＩＭカード１１に供給するためのものである。
【００６２】
なお、移動体端末１４は、機種に応じて必要な構成が追加される。例えば、携帯電話機１４ａの場合、音声処理部、音声入力部、音声出力部などの音声に関する各種構成が追加される。
【００６３】
次に、親機１２の制御部２０と、子機１３の制御部３０および記憶部３１と、移動体端末１４の制御部４０との詳細について、図１、図４、および図５を参照して説明する。親機１２の制御部２０は、図４に示すように、取付検知部（判定手段）５０、ＳＩＭ情報取得部５１、および通信制御部（通信制御手段）５２を備える構成である。
【００６４】
取付検知部５０は、ソケット部２２へのＳＩＭカード１１の取付けを検知するものである。取付検知部５０は、検知結果を通信制御部５２に送出する。
【００６５】
ＳＩＭ情報取得部５１は、ソケット部２２に取り付けられたＳＩＭカード１１からソケット部２２を介してＳＩＭ情報を取得するものである。また、ＳＩＭ情報取得部５１は、近距離通信用アンテナ部２３および近距離通信部２４を介して、子機１３からの要求に基づきＳＩＭ情報を送信している。なお、ＳＩＭ情報取得部５１は、ＳＩＭ情報を、子機１３からの要求に基づいて取得してもよいし、取付検知部５０の検知結果に基づいて取得してもよい。
【００６６】
通信制御部５２は、近距離通信部２４の通信を制御するものである。本実施形態では、通信制御部５２は、取付検知部５０が上記取付けを検知している場合、近距離通信部２４が子機１３と近距離無線通信を行うことを許可する。反対に言えば、通信制御部５２は、取付検知部５０が上記取付けを検知していない場合、近距離通信部２４が子機１３と近距離無線通信を行うことを禁止する。これにより、親機１２にＳＩＭカード１１が装着されていない場合、親機１２と子機１３との近距離無線通信が禁止されるので、子機１３が取り付けられた移動体端末１４において携帯電話サービスが利用されることを確実に防止する。
【００６７】
また、本実施形態では、通信制御部５２は、近距離通信部２４が同時に１台の子機１３とのみ通信できるように制御している。これにより、親機１２が複数の子機１３と通信可能な状態となって、複数の子機１３がそれぞれ取り付けられた複数の移動体端末１４において携帯電話サービスが同時に利用されることを防止する。
【００６８】
子機１３の制御部３０は、図１に示すように、ＳＩＭ情報要求部６０、ＳＩＭ情報出力部（出力手段）６１、通信可否判断部６２、出力制御部（出力制御手段）６３、終了通知取得部（利用終了取得手段）６４、および通信制御部（通信制御手段）６５を備える構成である。
【００６９】
ＳＩＭ情報要求部６０は、近距離通信部３３および近距離通信用アンテナ部３２を介して、親機１２にＳＩＭ情報を要求して取得するものである。ＳＩＭ情報要求部６０は、取得したＳＩＭ情報を記憶部３１に記憶させる。
【００７０】
ＳＩＭ情報出力部６１は、接続部３４を介して、移動体端末１４からの要求に基づきＳＩＭ情報を記憶部３１から読み出して出力するものである。また、ＳＩＭ情報出力部６１は、ＳＩＭ情報を出力すると、その旨を通信制御部６５に通知する。
【００７１】
通信可否判断部６２は、近距離通信部３３と親機１２との近距離無線通信が可能であるか否かを判断するものである。通信可否判断部６２は、判断結果を出力制御部６３に通知する。
【００７２】
出力制御部６３は、通信可否判断部６２からの判断結果に基づいて、ＳＩＭ情報出力部６１におけるＳＩＭ情報の出力を制御するものである。具体的には、出力制御部６３は、上記近距離無線通信が可能である旨の上記判断結果である場合、ＳＩＭ情報の出力を許可する一方、上記近距離無線通信が不能である旨の上記判断結果である場合、ＳＩＭ情報の出力を禁止している。これにより、子機１３は親機１２と通信可能である場合にのみＳＩＭ情報を出力することができる。
【００７３】
終了通知取得部６４は、移動体端末１４が上記移動体通信サービスの利用を終了した旨を示す利用終了通知を、移動体端末１４から接続部３４を介して取得するものである。終了通知取得部６４は、取得した上記利用終了通知を通信制御部６５に送出する。
【００７４】
通信制御部６５は、近距離通信部３３の通信を制御するものである。本実施形態では、通信制御部６５は、ＳＩＭ情報を出力した旨の通知をＳＩＭ情報出力部６１から受け取ると、通信制御部６５が親機１２との近距離無線通信を開始または続行するように指示し、終了通知取得部６４から上記利用終了通知を受け取ると、通信制御部６５が親機１２との近距離無線通信を終了するように指示している。これにより、移動体端末１４が移動体通信サービスを利用している間、子機１３と親機１２との通信が維持されるので、親機１２と他の子機１３との通信が不能となり、他の子機１３が取り付けられた移動体端末１４による上記移動体通信サービスの重複利用を防止できる。
【００７５】
移動体端末１４の制御部４０は、図５に示すように、サービス利用処理部（サービス利用処理手段）７０、ＳＩＭ情報要求部７１、および利用終了通知部７２を備える構成である。
【００７６】
サービス利用処理部７０は、携帯電話サービスを利用するための各種処理を行うものである。該処理の例としては、携帯電話サービスにおける音声入力処理および音声出力処理、携帯電話機用文字情報サービスにおける情報の符号化処理および復号化処理などが挙げられる。
【００７７】
サービス利用処理部７０は、必要に応じてＳＩＭ情報要求部７１に指示してＳＩＭ情報を取得する。また、サービス利用処理部７０は、例えば通話の終了など、携帯電話サービスの利用を終了すると、その旨を利用終了通知部７２に通知する。
【００７８】
ＳＩＭ情報要求部７１は、サービス利用処理部７０からの指示に基づき、カード収容部４７の端子を介して、子機１３またはＳＩＭカード１１にＳＩＭ情報を要求して取得するものである。ＳＩＭ情報要求部７１は、取得したＳＩＭ情報をサービス利用処理部７０に送出する。
【００７９】
利用終了通知部７２は、サービス利用処理部７０からの通知に基づき、上記利用終了通知を、カード収容部４７の端子を介して子機１３に送信するものである。
【００８０】
上記構成の通信システム１０における処理動作について、図６を参照して説明する。図６は、親機１２および子機１３の制御部２０・３０において行われる制御処理を示している。
【００８１】
図示のように、まず、親機１２では、ソケット部２２へのＳＩＭカード１１の取付けを取付検知部５０が検知するまで待機する（ステップＳ１０（以下「Ｓ１０」と略称することがある。他のステップについても同様である。））。その後、近距離通信部２４が或る子機１３と近距離無線通信を行うように通信制御部５２が制御する（Ｓ１１）。
【００８２】
一方、子機１３では、近距離通信部３３と親機１２との近距離無線通信が可能であると通信可否判断部６２が判断するまで待機する（Ｓ２０）。その後、記憶部３１にＳＩＭ情報が記憶されていない場合（Ｓ２１）、ＳＩＭ情報要求部６０は、親機１２にＳＩＭ情報を要求する（Ｓ２２）。このとき、親機１２では、ＳＩＭ情報取得部５１が子機１３からＳＩＭ情報の要求を取得すると（Ｓ１２）、ＳＩＭカード１１からＳＩＭ情報を取得して、子機１３に送信する（Ｓ１３）。そして、子機１３では、ＳＩＭ情報要求部６０が親機１２からＳＩＭ情報を取得して、記憶部３１に記憶する（Ｓ２２）。
【００８３】
次に、ＳＩＭ情報出力部６１は、移動体端末１４からＳＩＭ情報の要求を取得すると（Ｓ２４）、記憶部３１からＳＩＭ情報を取得して移動体端末１４に出力する（Ｓ２５）。次に、近距離通信部３３と親機１２との近距離無線通信を継続するように通信制御部６５が制御する（Ｓ２６）。次に、移動体端末１４が携帯電話サービスの利用を終了したか否か、すなわち、上記利用終了通知を終了通知取得部６４が取得したか否かを判断する（Ｓ２７）。上記利用終了通知を取得していない場合、ステップＳ２４に戻って上記動作を繰り返す。一方、上記利用終了通知を取得した場合、ステップＳ２８に進む。
【００８４】
ステップＳ２８では、近距離通信部３３と親機１２との近距離無線通信を終了するように通信制御部６５が制御する。その後、ステップＳ２０に戻って上記動作を繰り返す。
【００８５】
一方、親機１２では、近距離通信部２４と子機１３との近距離無線通信が終了したか、或いは、子機１３が離れすぎたり、子機１３の電源がオフになったりするなどして上記近距離無線通信が不能となったか否かを通信制御部５２が判断する（Ｓ１４）。上記近距離無線通信が可能である場合、ステップＳ１２に戻って上記動作を繰り返す。
【００８６】
一方、上記近距離無線通信が終了または不能である場合、近距離通信部２４が別の子機１３と近距離無線通信を行うように通信制御部５２が制御する（Ｓ１５）。その後、ステップＳ１２に戻って上記動作を繰り返す。
【００８７】
次に、親機１２と複数の子機１３ａ〜１３ｃとの間で近距離無線通信を行うタイミングについて、図７および図８を参照して説明する。図７は、複数の子機１３ａ〜１３ｃがそれぞれ取り付けられた複数の移動体端末１４ａ〜１４ｃが携帯電話サービスを利用していない場合の上記タイミングを示している。また、図８は、第１子機１３ａが取り付けられた第１移動体端末１４ａが、例えば通話を行うなど、携帯電話サービスを利用する場合の上記タイミングを示している。
【００８８】
図７に示すように、親機１２は、期間Ｔごとに子機１３ａ〜１３ｃとの近距離無線通信を行っている。親機１２が問合せ信号Ｄ１を送信すると、該問合せ信号Ｄ１に対して、子機１３ａ〜１３ｃが応答信号Ｄ２ａ〜Ｄ２ｃをそれぞれ送信する。親機１２は、子機１３ａ〜１３ｃから上記応答信号Ｄ２ａ〜Ｄ２ｃを受信することにより、子機１３ａ〜１３ｃの動作状況、さらには子機１３ａ〜１３ｃがそれぞれ取り付けられた移動体端末１４ａ〜１４ｃの動作状況を把握することができる。なお、この動作を行うための通信処理は公知であるので、その説明を省略する。
【００８９】
その後、第１移動体端末１４ａが携帯電話サービスを利用すると、第１子機１３ａは、図８に示すように、携帯電話サービスを利用している旨を示すサービス利用信号Ｄ３を、携帯電話サービスの利用が終了されるまで送信し続ける。この期間Ｔａ中、親機１２は、他の子機１３ｂ・１３ｃと近距離無線通信を行うことができないので、他の子機１３ｂ・１３ｃの状態を把握することができない。一方、他の子機１３ｂ・１３ｃは、親機１２と近距離無線通信を行うことができないので、自機１３ｂ・１３ｃが取り付けられた移動体端末１４ｂ・１４ｃが携帯電話サービスを利用できないことを把握でき、移動体端末１４へのＳＩＭ情報の出力を停止することができる。
【００９０】
そして、第１移動体端末１４ａが携帯電話サービスの利用を終了して、第１子機１３ａがサービス利用信号Ｄ３の送信を停止すると、親機１２は、問合せ信号Ｄ１の送信を再開する。これにより、親機１２は、他の子機１３ｂ・１３ｃからの応答信号Ｄ２ｂ・Ｄ２ｃを受信して、他の子機１３ｂ・１３ｃの状態を把握することができる。
【００９１】
なお、親機１２は、特定の子機１３が、他の子機１３と比べて、優先的に近距離無線通信が可能となるように制御してもよい。この場合、上記特定の子機１３が取り付けられた移動体端末１４が、他の移動体端末１４に比べて、携帯電話サービスを優先的に利用できるようになる。
【００９２】
また、図８の例では、第１子機１３ａがサービス利用信号Ｄ３を親機１２に送信し続けているが、連続的に送信するよりも、間欠的に送信する方が消費電力の観点から有利である。さらに、第１子機１３ａは、サービス利用信号Ｄ３に代えて、第１移動体端末１４ａが携帯電話サービスの利用を開始する旨を示すサービス開始信号と、終了する旨を示すサービス終了信号とを親機１２に送信してもよい。この場合、親機１２は、サービス開始信号を受信してから、サービス終了信号を受信するまでの間、問合せ信号Ｄ１の送信を停止すればよい。
【００９３】
なお、親機１２は、第１子機１３ａと通信不能になって、第１子機１３ａから上記サービス終了信号を受信できないことも考えられる。そこで、親機１２は、第１子機１３ａとの通信が所定期間無い場合、第１子機１３ａに問合せを行い、それでも第１子機１３ａから応答信号を受信しないとき、上記サービス終了信号を受信したとみなして、問合せ信号Ｄ１の送信を再開してもよい。その他、本発明を適用できる任意の制御方法を利用することができる。
【００９４】
また、親機１２は、図５に示すような、携帯電話用アンテナ部４２、携帯電話用通信部４３、サービス利用処理部（サービス利用処理手段）７０、およびＳＩＭ情報要求部（送出手段）７１と同様の機能ブロックを備えることにより、携帯電話サービスを利用できる移動体端末１４として機能してもよい。この場合、親機１２は、子機１３と通信可能である場合には、携帯電話サービスを利用できないように制御される。
【００９５】
ところで、実際の携帯電話システムでは、携帯電話端末と携帯電話網の基地局との間で位置情報の送受信が頻繁に行われている。そこで、携帯電話サービスを利用するのに必要な処理のうち、着信処理、通話処理などのような、ユーザに対して入出力を行うための処理は、移動体端末１４のサービス利用処理部７０が行い、その他の処理は、親機１２のサービス利用処理部が行うことが望ましい。この場合、携帯電話サービスを利用するのに必要な処理を、親機１２と移動体端末１４とに分散させることができるので、親機１２と移動体端末１４とにおける処理の負担を軽減することができる。
【００９６】
最後に、特許文献１の発明の通信方法と本願発明の通信方法との相違点を、図９を参照して説明する。図９は、特許文献１の発明にて利用される通信経路と、本願発明にて利用される通信経路とを示している。
【００９７】
特許文献１では、ＳＩＭカード１１を装着した通信端末装置１００のみが公衆網１６と通信可能であるため、ＳＩＭカード１１を装着していない携帯電話端末１０１で通話を行う場合、通話のための音声データは、携帯電話端末１０１と通信端末装置１００との間の通信経路１０２と、通信端末装置１００と公衆網１６との間の通信経路１０３とを経由する必要がある。このため、通信端末装置１００および携帯電話端末１０１との間で通話のための音声データを送受信する新たな処理部が必要となり、既存の携帯電話端末を利用することが困難である。また、音声データを中継する通信端末装置１００の消費電力が増大することになる。
【００９８】
これに対し、本願発明では、通話のための音声データは、子機１３を取り付けた携帯電話端末（移動体端末）１４と公衆網１６との間の通信経路１７を経由すればよく、子機１３と親機１２との間では、上述の問合せ信号Ｄ１、応答信号Ｄ２、およびサービス利用信号Ｄ３を送受信すればよい。従って、特許文献１に比べて、親機１２における処理負担を軽減することができる。また、本願発明は、子機１３をＳＩＭカード１１と同一形状とすることにより、子機１３が取り付けられる移動体端末１４として、既存の移動体端末を利用することができる。
【００９９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１００】
例えば、本実施形態では、子機１３は、ＳＩＭ情報を、親機１２から近距離無線通信を介して取得しているが、その他の装置から取得してもよいし、着脱可能な記録媒体から取得してもよい。また、子機１３を取り付けた移動体端末１４の操作部４４をユーザが操作して、移動体端末１４から子機１３に出力することにより取得してもよい。
【０１０１】
また、本実施形態では、本発明を携帯電話サービスに適用しているが、その他の移動体通信サービス、銀行のオンラインシステム、流通業界のＰＯＳ（販売時点情報管理）システム、鉄道会社や航空会社のチケット予約システムなどに適用可能であり、個人を識別する個人識別情報と、カードを識別するカード識別情報との少なくとも一方を記録したカードを利用する任意のサービスに適用可能である。
【０１０２】
最後に、ＳＩＭカード１１、親機１２、子機１３、および移動体端末１４の各ブロック、特に制御部２０・３０・４０は、ハードウェアロジックによって構成してもよいし、次のようにＣＰＵを用いてソフトウェアによって実現してもよい。
【０１０３】
すなわち、ＳＩＭカード１１、親機１２、子機１３、および移動体端末１４は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアであるＳＩＭカード１１、親機１２、子機１３、および移動体端末１４の制御プログラムのプログラムコード（実行形式プログラム、中間コードプログラム、ソースプログラム）をコンピュータで読み取り可能に記録した記録媒体を、上記ＳＩＭカード１１、親機１２、子機１３、および移動体端末１４に供給し、そのコンピュータ（またはＣＰＵやＭＰＵ）が記録媒体に記録されているプログラムコードを読み出し実行することによっても、達成可能である。
【０１０４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０５】
また、ＳＩＭカード１１、親機１２、子機１３、および移動体端末１４を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１０６】
以上のように、本発明は、加入者カードが設けられた外部装置と無線通信可能な代替物のみが、利用必須情報をサービス利用装置に出力してサービスを利用できるので、携帯電話サービスなど、個人を識別する個人識別情報と、カードを識別するカード識別情報との少なくとも一方を記録したカードを利用する任意のサービスに適用可能である。
【図面の簡単な説明】
【０１０７】
【図１】本発明の一実施形態である通信システムにおける子機の概略構成を示すブロック図である。
【図２】上記通信システムの概要図である。
【図３】上記通信システムの概要図である。
【図４】上記通信システムにおける親機の概略構成を示すブロック図である。
【図５】上記通信システムにおける移動体端末の概略構成を示すブロック図である。
【図６】上記親機および上記子機における処理の流れを示すフローチャートである。
【図７】上記親機と複数の上記子機との間で近距離無線通信を行うタイミングを示すタイミングチャートである。
【図８】上記タイミングを示すタイミングチャートである。
【図９】本願発明と従来技術との相違点を示す通信システムの概要図である。
【符号の説明】
【０１０８】
１０  通信システム
１１  ＳＩＭカード（加入者カード）
１２  親機（外部装置・通信装置）
１３・１３ａ〜１３ｄ  子機（加入者カードの代替物）
１４・１４ａ〜１４ｄ  移動体端末（サービス利用装置）
１６  公衆網
２０・３０・４０  制御部
２１・３１・４１  記憶部
２２  ソケット部（取付部）
２３・３２  近距離通信用アンテナ部
２４  近距離通信部（通信部）
３３  近距離通信部（第１通信部）
３４  接続部（第２通信部）
４２  携帯電話用アンテナ部
４３  携帯電話用通信部
４４  操作部
４５  表示部
４６  電源部
４７  カード収容部
５０  取付検知部（判定手段）
５１  ＳＩＭ情報取得部
５２  通信制御部（通信制御手段）
６０  ＳＩＭ情報要求部
６１  ＳＩＭ情報出力部（出力手段）
６２  通信可否判断部
６３  出力制御部（出力制御手段）
６４  終了通知取得部（利用終了取得手段）
６５  通信制御部（通信制御手段）
７０  サービス利用処理部（サービス利用処理手段）
７１  ＳＩＭ情報要求部（送出手段）
７２  利用終了通知部
【図１】
2010050848.tif 000003
【図２】
2010050848.tif 000004
【図３】
2010050848.tif 000005
【図４】
2010050848.tif 000006
【図５】
2010050848.tif 000007
【図６】
2010050848.tif 000008
【図７】
2010050848.tif 000009
【図８】
2010050848.tif 000010
【図９】
2010050848.tif 000011